(57)【特許請求の範囲】
【請求項１】
相互に平行な取付面と座面を有し、前記取付面を被取付部材の被取付面に対向させて前記被取付部材に取り付けられる台座と、
前記座面に軸方向が該座面と直交して配設される軸部と、
前記軸部を介して前記台座に回動可能に支持され、前記座面と対向する対向面を有するハンドル部と、を備え、
前記ハンドル部が、前記軸部の周方向に回動されることにより、扉の開閉操作が行われる扉開閉用ハンドルにおいて、
前記座面に取り付けられる複数の台座側磁石と、
前記対向面に取り付けられる複数のハンドル側磁石と、を備え、
複数の前記台座側磁石は、隣接する前記台座側磁石同士が磁極を相互に異極として、それぞれ間隔を存して、前記軸部の軸中心を中心とする仮想円の円周上に配置され、
複数の前記ハンドル側磁石は、隣接する前記ハンドル側磁石の磁極を相互に異極として、それぞれ間隔を存して、前記円周上に配置され、
前記台座側磁石と前記ハンドル側磁石とは、前記ハンドル部が前記扉の開閉を許す開位置に位置する状態において、異なる磁極同士で少なくとも一部が対向し、前記扉を閉めた状態で前記扉の開閉を阻害する閉位置に位置する状態において、異なる磁極同士で少なくとも一部が対向することを特徴とする扉開閉用ハンドル。
【請求項２】
複数の前記台座側磁石は、前記円周上に所定の角度間隔で配置され、
複数の前記ハンドル側磁石は、前記円周上に、複数の前記台座側磁石が前記円周上に配置される所定の角度間隔と、同じ角度間隔で配置されることを特徴とする請求項１に記載の扉開閉用ハンドル。
【請求項３】
前記台座側磁石と前記ハンドル側磁石は、前記ハンドル部が前記開位置と前記閉位置との中間の中間位置に位置する状態においてのみ同じ磁極同士で対向するように配設されることを特徴とする請求項２に記載の扉開閉用ハンドル。
【請求項４】
前記ハンドル側磁石は、前記ハンドル部が前記閉位置に位置する状態において、該ハンドル側磁石と前記中間位置において対向する前記台座側磁石寄りにずれ、
前記ハンドル部が前記開位置に位置する状態において、該ハンドル側磁石と前記中間位置において対向する前記台座側磁石寄りにずれるように配設されることを特徴とする請求項３に記載の扉開閉用ハンドル。
【請求項５】
複数の前記台座側磁石は、前記仮想円の全周に亘って配置され、前記ハンドル側磁石は、前記仮想円の全周に亘って配置されることを特徴とする請求項１ないし請求項４のいずれか一項に記載の扉開閉用ハンドル。
【請求項６】
前記軸部は、前記台座および前記ハンドル部とは別体で構成され、
前記台座は、前記軸部が挿入される軸挿入孔が形成され、
前記軸部は、前記軸挿入孔に挿入されるとともに、固定部材により回動不能に固定され、
前記軸挿入孔の内周面の一部および前記一部に対向する前記軸部の外周面の一部には、それぞれキー溝が設けられ、
前記固定部材は、
前記軸部の軸方向に対して傾斜する傾斜面を有し、前記キー溝に挿入される第１キー部と、
前記傾斜面と同じ傾斜角の傾斜面を有し、前記第１キー部の前記傾斜面と当接した状態で前記キー溝に挿入される第２キー部と、
前記第２キー部を前記第１キー部に押圧させる押圧部材と、を備えることを特徴とする請求項１ないし請求項５のいずれか一項に記載の扉開閉用ハンドル。
【発明の詳細な説明】
【技術分野】
【０００１】
本発明は、扉の開閉操作に用いられる扉開閉用ハンドルに関する。
【背景技術】
【０００２】
従来の扉の開閉操作に用いられる扉開閉用ハンドルとして、特許文献１には、先端に第１係止具（ローラー締り部）が連結したグレモンハンドルが開示されている。また、特許文献２には、把持部の搖動に連動してデッドボルトが進退作動するレバーハンドルが開示されている。一般には、これらの扉開閉用ハンドルは、ハンドルの回動軸にトーションばね等の付勢部材を設けて、ハンドルが扉の開閉を許す開位置、もしくはハンドルが扉を閉めた状態で扉の開閉を阻害する閉位置のいずれかの方向に向けて、ハンドルが付勢される構造となっている（例えば、特許文献３の図４を参照）。
【０００３】
付勢部材がハンドルを開位置へ向けて付勢するものである場合、扉を開いた状態では、ハンドル部は開位置で固定される。そのため、ハンドル部と連動して回動するローラー締り部等は、扉の戸先より外側に突出しない位置に固定されるので、扉を閉じる際に、ローラー締り部等が扉の枠体に衝突することがなく、ローラー締り部や枠体の破損を防ぐことができる。しかし、ハンドル部は付勢部材により常に開位置へ向けて付勢されているので、扉を閉めた状態でハンドル部の固定が緩いと、ハンドル部が徐々に開位置へと回り、ローラー締り部等が開位置になり、扉が自然に開放されてしまう（自然開放）という不都合が生じていた。
【０００４】
一方、付勢部材がハンドル部を閉位置へ向けて付勢するものである場合、扉を閉めてハンドル部が閉位置の状態では、ハンドル部が常に閉位置へと付勢されて閉位置に固定されるため、前述した自然開放は発生しない。しかし、扉を開いた状態においても、ハンドル部が閉位置へと付勢されるので、ローラー締り部等が扉の戸先から突出した状態に固定されることがある。そのため、扉の開閉の際に、扉開閉用ハンドルの操作者が、扉の戸先から突出したローラー締り部等に衣服等を引っ掛けたり、扉を閉める際にローラー締り部等を枠体へ衝突させて、ローラー締り部等や枠体を破損させてしまうという不都合が生じていた。
【先行技術文献】
【特許文献】
【０００５】
【特許文献１】特開２０１０−２２２９０７号公報
【特許文献２】特開２０１２−１６７４４７号公報
【特許文献３】特開２０００−０９６８９９号公報
【発明の概要】
【発明が解決しようとする課題】
【０００６】
このように、ハンドル部が閉位置もしくは開位置のいずれかにのみ向けて付勢される場合、各々相反する利点および欠点が存在する。また、ハンドル部を開位置および閉位置の両方向へ向けて付勢させる場合、ばね等の付勢部材を用いた場合には構造が複雑となり扉開閉用ハンドルが大型化して重量や製造コストが増加する。そのため、簡易な構成でハンドル部を開位置および閉位置の両方向へ付勢し固定することが可能な扉開閉用ハンドルが望まれている。
【０００７】
本発明は、前記課題に鑑みてなされたものであり、簡易な構成でハンドル部が開位置にあるときは開位置へ向けて、ハンドル部が閉位置にあるときは閉位置へ向けて、ハンドル部を付勢して固定させることが可能で、扉の開閉時におけるハンドル部や枠体等の破損を防ぐとともに、扉の自然開放を防ぐことができる扉開閉用ハンドルを提供することを目的とする。
【課題を解決するための手段】
【０００８】
前記課題を解決するため、本発明に係る扉開閉用ハンドルは、相互に平行な取付面と座面を有し、前記取付面を扉の扉面に対向させて前記扉に取り付けられる台座と、前記座面に軸方向が該座面と直交して配設される軸部と、前記軸部を介して前記台座に回動可能に支持され、前記座面と対向する対向面を有するハンドル部と、を備え、該ハンドル部が、前記軸部の周方向に回動されて前記扉の開閉操作が行われる扉開閉用ハンドルにおいて、
前記座面に取り付けられる複数の台座側磁石と、前記対向面に取り付けられる複数のハンドル側磁石と、を備え、
複数の前記台座側磁石は、隣接する前記台座側磁石同士が磁極を相互に異極として、それぞれ間隔を存して、前記軸部の軸中心を中心とする仮想円の円周上に配置され、
複数の前記ハンドル側磁石は、隣接する前記ハンドル側磁石の磁極を相互に異極として、それぞれ間隔を存して、前記仮想円周上に配置され、
前記台座側磁石と前記ハンドル側磁石とは、前記ハンドル部が前記扉の開閉を許す開位置に位置する状態において、異なる磁極同士で少なくとも一部が対向し、前記扉を閉めた状態で該扉の開閉を阻害する閉位置に位置する状態において、異なる磁極同士で少なくとも一部が対向することを特徴とする。
【０００９】
この構成によれば、ハンドル部が開位置および閉位置のいずれの位置にある場合であっても、ハンドル側磁石と台座側磁石がそれぞれ異なる磁極で対向して吸引し合うことになり、台座の座面とハンドル部の対向面との間には磁力による吸引力が作用する。そのため、ハンドル部を開位置に向って回動させると、磁力の吸引力によりハンドル部を開位置へ向って付勢することができるとともに、ハンドル部を閉位置に向って回動させると、この吸引力によりハンドル部を閉位置に向って付勢することができる。
【００１０】
また、この吸引力は、異極となる両磁石同士が近づくに連れて強まることから、ハンドル部が開位置に近づくに連れてハンドルを開位置へ向けて付勢する力を強くすることができるとともに、ハンドルが閉位置に近づくに連れてハンドルを閉位置へ向けて付勢する力を強くすることができる。そして、ハンドルの開位置および閉位置のいずれの位置においても、ハンドル側磁石と台座側磁石がそれぞれ異なる磁極で少なくとも一部が対向するので、磁力による吸着力により、ハンドル部を固定することができる。
【００１１】
このように、本発明によれば、ばね等の付勢部材ではなく磁石を用いることで、簡易な構成で、ハンドル部が開位置寄りにあるときは開位置へ向けて、ハンドル部が閉位置寄りにあるときは閉位置へ向けて、ハンドル部を付勢することができるとともに、ハンドル部を開位置および閉位置のそれぞれに固定させることができ、扉の開閉時におけるハンドルや枠体等の破損を防ぐとともに、扉の自然開放を防ぐことができる。
【００１２】
前記構成において、複数の前記台座側磁石を、前記円周上に所定の角度間隔で配置し、複数の前記ハンドル側磁石を、前記円周上に、複数の前記台座側磁石が前記円周上に配置される所定の角度間隔と、同じ角度間隔で配置してもよい。
【００１３】
この構成によれば、台座側磁石とハンドル側磁石が同じ角度間隔で配置されているので、ハンドル側磁石と台座側磁石の磁力による吸着力がより増加し、ハンドル部を開位置へ向ってより付勢することができるとともに、ハンドル部を閉位置に向って回動させると、この吸引力によりハンドル部を閉位置に向ってより付勢することができる。
【００１４】
前記構成において、前記台座側磁石と前記ハンドル側磁石とを、前記ハンドル部が前記開位置と前記閉位置との中間の中間位置に位置する状態においてのみ同じ磁極同士で対向するよう配設してもよい。
【００１５】
この構成によれば、ハンドル部が閉位置と開位置の中間の中間位置する状態では、磁石の同極同士の反発力により、ハンドル部は中間位置に留まることができない。そして、ハンドル部が中間位置から開位置側または閉位置側へ少しでも回動すると、中間位置で同極となるハンドル側磁石と台座側磁石とが反発し合う反発力により、ハンドル部を開位置または閉位置へ向けて付勢することができる。さらに、ハンドル部が中間位置から開位置側または閉位置側へ回動すると、開位置または閉位置において異極同士で対向することとなるハンドル側磁石と台座側磁石との吸引力により、ハンドル部を開位置または閉位置へ向けて付勢することができる。すなわち、ハンドル部が中間位置から少しでも開位置側または閉位置側へ回動すると、ハンドル部には吸引力と反発力の二つの力が作用して、ハンドル部を閉位置または開位置へと付勢することができ、さらに磁力の吸着力により閉位置および開位置のいずれの位置においてもハンドル部を固定することができる。
【００１６】
前記構成において、前記ハンドル側磁石が、前記ハンドル部が前記閉位置に位置する状態において、該ハンドル側磁石は前記中間位置において対向する前記台座側磁石寄りにずれ、前記ハンドル部が前記開位置に位置する状態において、該ハンドル側磁石は前記中間位置において対向する前記台座側磁石寄りにずれるように配設してもよい。
【００１７】
この構成によれば、ハンドル部が閉位置にある場合、ハンドル部には該ハンドル部をさらに閉める方向（ハンドル側磁石が台座側磁石に対向しようとする方向）へと付勢する吸引力が作用する。また、ハンドル側磁石が中間位置において対向する台座側磁石寄りにずれることで、ハンドル部には中間位置において同極となるハンドル側磁石と台座側磁石の反発力も作用することとなる。よって、吸引力と反発力の二つの力の作用により、ハンドル部は、開位置の際にはさらに開方向に付勢され、閉位置の際にはさらに閉方向に付勢されるとともに、開位置および閉位置のいずれの位置においても、ハンドル部をより固定することができる。
【００１８】
前記構成において、複数の前記台座側磁石を、前記仮想円の全周に亘って配置し、前記ハンドル側磁石を、前記仮想円の全周に亘って配置してもよい。
【００１９】
この構成によれば、台座側磁石とハンドル側磁石は、それぞれ軸部の軸中心を中心として等角度間隔で仮想円の全周に亘って配置されるため、ハンドル部に作用する吸着力（吸引力）と反発力を、軸部の軸中心を中心とした全周に亘ってバランスよく配分することができる。
【００２０】
前記構成において、前記軸部を、前記台座および前記ハンドル部とは別体で構成し、前記台座に、前記軸部が挿入される軸挿入孔を形成し、前記軸部を、前記軸挿入孔に挿入するとともに、固定部材により回動不能に固定し、前記軸挿入孔の内周面の一部および該一部に対向する前記軸部の外周面の一部に、それぞれキー溝を形成し、前記固定部材は、軸方向に対して傾斜する傾斜面を有し、前記キー溝に挿入される第１キー部と、前記傾斜面と同じ傾斜角の傾斜面を有し、前記第１キー部の前記傾斜面と当接した状態で前記キー溝に挿入される第２キー部と、前記第２キー部を前記第１キー部に押圧させる押圧部材と、を備えるようにしてもよい。
【００２１】
この構成によれば、第１キー部と第２キー部とは、傾斜面の傾斜方向にずれた状態でキー溝に押圧されるため、軸部を台座部に回動不能に強固に固定することができる。そのため、ハンドル部の回動時に軸部ががたつくことが防止され、ハンドル部の回動を安定させることができる。
【発明の効果】
【００２２】
本発明は、ばね等の付勢部材ではなく磁力を用いるという簡易な構成で、開位置側に位置するハンドル部を開位置側へ向けて付勢しつつ開位置に固定し、閉位置側に位置するハンドル部を閉位置へ向けて付勢しつつ閉位置に固定することができ、扉の開閉時におけるハンドルや枠体の破損を防ぐとともに、扉の自然開放を防ぐことができる。
【図面の簡単な説明】
【００２３】
【図１】本発明の第１の実施の形態に係る扉開閉用ハンドルが扉に取り付けられた状態の正面図である。
【図２】扉開閉用ハンドルの分解斜視図である。
【図３】ハンドル部が開位置に位置するときの、扉開閉用ハンドルの正面図である。
【図４】図３のIV−IV線断面図である。
【図５】図３のハンドル部を省略したV−V線断面図である。
【図６】図５の部分拡大図である。
【図７】図３から軸部カバーおよびハンドル部グリップを取り除き、一部断面化して現した扉開閉用ハンドルの正面図である。
【図８】台座の正面図である。
【図９】ハンドル部の裏面図である。
【図１０】枠体の一部および枠体に設けられた係合穴部の正面図である。
【図１１】ハンドル部が閉位置に位置するときの台座側磁石に対するハンドル側磁石の位置関係を模式的に表した図である。
【図１２】ハンドル部が中間位置に位置するときの台座側磁石に対するハンドル側磁石の位置関係を模式的に表した図である。
【図１３】ハンドル部が開位置に位置するときの台座側磁石に対するハンドル側磁石の位置関係を模式的に表した図である。
【図１４】ハンドル部が閉位置に位置するときのハンドル側磁石の一つと、これに関係する台座側磁石の位置関係を示した説明図である。
【図１５】ハンドル部が中間位置に位置するときの、図１４で示されたハンドル側磁石とこれに関係する台座側磁石の位置関係を示した説明図である。
【図１６】ハンドル部が開位置に位置するときの、図１４で示されたハンドル側磁石の一つとこれに関係する台座側磁石の位置関係を示した説明図である。
【図１７】本発明の第２の実施の形態に係る扉開閉用ハンドルの台座の正面図である。
【図１８】本発明の第２の実施の形態に係る扉開閉用ハンドルのハンドル部の裏面図である。
【図１９】第２の実施形態に用いられる台座側保護プレートおよびハンドル側保護プレートを示した平面図である。
【図２０】ハンドル部が閉位置に位置するときの、台座側磁石に対するハンドル側磁石の位置関係を模式的に表した図である。
【図２１】ハンドル部が開位置に位置するときの、台座側磁石に対するハンドル側磁石の位置関係を模式的に表した図である。
【図２２】本発明の第３の実施の形態に係る扉開閉用ハンドルの台座の要部拡大正面図である。
【図２３】本発明の第３の実施の形態に係る扉開閉用ハンドルのハンドル部の要部拡大裏面図である。
【図２４】第３の実施形態に用いられる台座側保護プレートおよびハンドル側保護プレートを示した平面図である。
【図２５】ハンドル部が閉位置に位置するときの台座側磁石に対するハンドル側磁石の位置関係を模式的に表した図である。
【図２６】ハンドル部が中間位置に位置するときの台座側磁石に対するハンドル側磁石の位置関係を模式的に表した図である。
【図２７】ハンドル部が開位置に位置するときの台座側磁石に対するハンドル側磁石の位置関係を模式的に表した図である。
【発明を実施するための形態】
【００２４】
以下、本発明の第１の実施の形態に係る扉開閉用ハンドル１００について、図１ないし図１６に基づいて説明する。
【００２５】
本発明の第１の実施の形態に係る扉開閉用ハンドル１００は、図１に示されるように、扉１０１の扉面１０１ａ（本実施の形態では屋内面）に取り付けられ、扉１０１の開閉操作に用いられるものである。扉開閉用ハンドル１００が取り付けられる扉１０１は、防音室等に用いられる気密扉であり、防音室等を出入りするための開口部周縁に沿って枠体１０２を取り付け、その枠体１０２に側縁が支持されて開口部を開閉可能とするものである。
【００２６】
扉開閉用ハンドル１００は、いわゆるローラー締りハンドルであり、扉１０１に取り付けられる台座１、開閉操作が行なわれるハンドル部３、およびハンドル部３を台座１に回動自在に支持するための軸部２を備え、ハンドル部３の一端には、ローラー部３７ｂが取り付けられている。枠体１０２の側縁のうち扉１０１を閉めた状態において扉開閉用ハンドル１００と対向する部位には、上下方向に縦長の溝状の係合穴部１０３が設けられており、実線で示されるように、ローラー部３７ｂが係合穴部１０３に係合されることで扉の開閉が阻害され、二点鎖線で示されるように、ハンドル部３が回動されてローラー部３７ｂと係合穴部１０３との係合が解除されると扉の開閉が許されるようになっている。
【００２７】
図１０に示されるように、係合穴部１０３は、その扉側の内壁１０３ａは上半部が厚肉部１０３ｂに、下半部が傾斜部１０３ｃに形成されている。扉１０１を閉めた状態において、扉開閉用ハンドル１００を、ローラー部３７ｂが係合穴部１０３に係合される方向へと回動させると、ローラー部３７ｂが傾斜部１０３ｃに当接して傾斜部１０３ｃを転がりながら厚肉部１０３ｂに移動し、厚肉部１０３ｂの厚みに応じて扉１０１が枠体１０２に引き寄せられ、扉１０１が枠体１０２と密着し、気密性および防音性が保たれるようになっている。
【００２８】
以下、本明細書および特許請求の範囲において、図１に実線で示すように、ハンドル部３が扉１０１を閉めた状態で扉１０１の開閉を阻害する位置にあるときをハンドル部３の閉位置Ｐｃといい、図１に二点鎖線で示すように、扉の開閉を許す位置にあるときをハンドル部３の開位置Ｐｏという。また、ハンドル部３が閉位置側から開位置側へ回動する方向を開方向Ｄｏといい、ハンドル部３が誡位置側から閉位置側へ回動する方向を閉方向Ｄｃという。以下の説明において、扉開閉用ハンドル１００を扉１０１の扉面１０１ａに取り付けた状態において扉面１０１ａに対向する側を裏、その反対側を表として説明する。
【００２９】
扉開閉用ハンドル１の台座１は、図１および図２に示されるように、正面視において外縁がＤ字形状に形成された板状部材であって、その裏面が扉１０１への取付面１１となる基台部１０と、該基台部１０の表面１２の略中央から表側に向って若干先細りの円柱状に延出された延出部１４とから概略構成される。台座１には、例えば真鍮等の銅合金やステンレス（ＳＵＳ３０４）等の非磁性体の合金材料が用いられている。図４も参照して、延出部１４の延出した先端面は、取付面１１と平行な座面１５となっている。
【００３０】
台座１には、延出部１４の座面１５の略中央に位置して、座面１5から基台部１０の裏面までを貫通し、軸部２が挿入される軸挿入孔１６が形成されている。さらに、基台部１０の取付面１１の中央には、基台部１０の表面１２側に向って凹み、軸挿入孔１６と連通している取付面凹部１３が形成されている。基台部１０には、図２および図３に示すように、表裏に貫通するボルト挿通孔１７が、延出部１４を取り囲むように４箇所に設けられている。
【００３１】
このように構成される台座１は、取付面１１を扉１０１の扉面１０１ａ（屋内面）に対向させて、図１に示すように、表面側からボルト挿通孔１７に挿通された４本のボルト１８により扉１０１の扉面１０１ａに取り付けられている。また、本実施の形態においては、取付面１１と扉面１０１ａとの間に、図２に示すような、正面視Ｄ字状で所定の厚みを有するライナー１９を介在させることで、扉開閉用ハンドル１００の取付レベル（扉面１０１ａからの距離）を調整している。
【００３２】
図２に示されるように、軸部２は、一端に雄ねじ部２０が設けられ、軸方向において一端側（すなわち雄ねじ部２０側）には、第１軸部２１が形成されており、他端側には、第１軸部２１と連設され、第１軸部２１よりも拡径された第２軸部２３が形成されている。第１軸部２１と第２軸部２３とは径が異なるので、軸部２は第１軸部２１と第２軸部２３との境界において段部２２となっている。
【００３３】
軸部２の他端側には、第２軸部２３に連設して第２軸部２３よりも軸方向外側に、第２軸部２３よりも拡径された円盤状のフランジ部２４が一体に形成されている。軸部２には、鋳鉄系の材料が用いられている。
【００３４】
図３も参照して、第２軸部２３には、外周面から軸部２の軸中心Ｘ２に向って円柱形に凹む二つの凹部２３ａ１，２３ａ２が、軸中心Ｘ２を中心とする所定角度間隔α（本実施の形態では６５度）で設けられている。フランジ部２４には、軸方向視で軸部２の軸中心Ｘ２を中心として所定角度範囲（本実施の形態では約８０度）に亘ってフランジ部２４の外周縁が所定幅で切欠かれた切欠き部２４ａが設けられている。切欠き部２４ａの両方の端部２４ａ１。２４ａ２は、図７に示されるように、後述する円柱状の制限ピン３８の外周円弧に沿うように形成されている。
【００３５】
図２ないし図４に示されるように、ハンドル部３は、所定の厚みを有し中央に軸挿入孔３２が形成された基部３０と、基部３０と一体に形成された把持部３３と、基部３０に取り付けられ扉１０１の締付けを補助するローラー締り部３７と、把持部３３のほぼ全体を覆うハンドル部グリップ３５とを備えている。基部３０および把持部３３には、例えば真鍮等の銅合金やステンレス（ＳＵＳ３０４）等の非磁性体の合金材料が用いられる。
【００３６】
基部３０の軸挿入孔３２は、基部３０の中央部の表裏を貫通して台座１の軸挿入孔１６よりもやや拡径されて形成されている。基部３０には、軸挿入孔３２の中心Ｘ３を中心として所定角度を存して延出する二つの延出部３０ａ，３０ｂが設けられている。
【００３７】
図３および図４に示されるように、基部３０の一方の延出部３０ｂから、軸挿入孔３２の径方向外方に向ってさらに延出して、把持部３３が一体に形成され、該把持部３３は略全体がハンドル部グリップ３５で覆われている。ハンドル部グリップ３５は、表裏で二分割されており、把持部33を挟み込むように取り付けられ、把持部３３の幅方向中央に位置し把持部３３の長手方向（以下、単に「長手方向」という。）に沿って、表裏六か所がねじ３６でもって固定されている。
【００３８】
基部３０の他方の延出部３０ａには、ローラー締り部３７が設けられている。該ローラー締り部３７は、図３に示されるように、ローラー軸３７ａと該ローラー軸３７ａに回転可能に支持されるローラー部３７ｂとを備えており、該ローラー軸３７ａは、基部３０の他方の延出部３０ａに、軸方向を軸挿入孔３２の中心Ｘ３に向けて取り付けられている。ローラー軸３７ａは、中心Ｘ３を中心として、把持部３３の長手方向中心と所定角度を存するようになっている。図２および図４に示されるように、基部３０の表面の軸挿入孔３２の周縁部に、ハンドル部３の回動を規制する一本の円柱状の制限ピン３８が突設されている。
【００３９】
把持部３３のうち、ハンドル部グリップ３５で覆われた部分の表面側の一部には、図４および図７に示されるように、裏面側へ向って平面状に凹む把持部凹部３４が形成されている。把持部凹部３４内には、ハンドル部グリップ３５を固定するねじ３６が螺合される固定柱３４ａが、長手方向の中央部と基部３０から離れる側の端部の二か所に立設されている。図４に示されるように、二つの固定柱３４ａの長手方向の間に位置してトリガ軸３４ｂが立設されている。該トリガ軸３４ｂは、図７に示されるように、把持部３３の幅方向において、固定柱３４ａよりものハンドル部３の開方向Ｄｏ側に位置して配設されている。図４および図７に示されるように、ハンドル部３の基部３０、延出部30ｂおよび把持部３３の内部には、長手方向に向かって、把持部凹部３４と軸挿入孔３２とを貫通するシャフト挿通孔３３ａが設けられている。
【００４０】
次に、図４を参照して台座１に軸部２およびハンドル部３が組付けられた状態について説明する。
【００４１】
ハンドル部３は、ハンドル部３の基部３０の裏面（以下、「対向面３１」という。）と台座１の座面１５と対向し、ハンドル部３の軸挿入孔３２の中心Ｘ３と台座１の軸挿入孔１６の中心Ｘ１とが一致するように、台座１に重ねられ、軸部２がハンドル部３側から両軸挿入孔１６，３２に挿入されている。このとき、軸部２の第２軸部２３はハンドル部３の軸挿入孔３２に、第１軸部２１は台座１の軸挿入孔１６にそれぞれ挿入された状態となり、フランジ部２４はハンドル部３の表面に、軸部２の段部２２は台座１の座面１５にそれぞれ当接され、軸部２の雄ねじ部２０は台座１の取付面凹部１３内に突出した状態となっている。雄ねじ部２０には、取付面凹部１３内においてワッシャ２５が挿通されナット２６が螺合されている。軸部２は、後述する固定部材４とキー溝４０で位置決めされ、段部２２とナット２６とにより台座１に固定されている。このようにして、軸部２は、軸方向が座面１５と直交するよう座面１５の中央に配設され、ハンドル部３は、軸部２を介して台座１に回動可能に支持される。
【００４２】
図３に示されるように、台座１に軸部２およびハンドル部３が組付けられた状態において、制限ピン３８はフランジ部２４の切欠き部２４ａ内に位置するよう配設されており、該制限ピン３８により、ハンドル部３の回動範囲が規制されている。すなわち、ハンドル部３は、切欠き部２４ａの一方の端部２４ａ１が制限ピン３８に当接する状態から、他方の端部２４ａ２が制限ピン３８に当接する状態までの間の範囲内でのみ回動可能であり、図１に示されるように、その回動範囲は、開位置Ｐｏと閉位置Ｐｃとの間の所定の角度ε（本実施の形態では約６５度）に規制されている。フランジ部２４と制限ピン３８は軸部カバー２７により覆われている。
【００４３】
次に、軸部２を台座１に固定する固定部材４とキー溝４０について説明する。キー溝４０は、図３および図４に示されるように、台座１の軸挿入孔１６の内周面に設けられる台座側キー溝４０ａと、台座側キー溝４０ａに対向する軸部２の外周面に設けられる軸部側キー溝４０ｂとからなり、これらの台座側キー溝４０ａと軸部側キー溝４０ｂとが合わさると、軸方向に沿う略円柱状の空間になるように形成されている。すなわち、キー溝４０は、軸挿入孔１６の内周面の一部と、これに対向する軸部２の外周面の一部に設けられている。
【００４４】
台座側キー溝４０ａは、台座１の軸挿入孔１６の内周面の一部が、取付面１１側の端縁から座面１５側に向って略半円柱状に切欠かれて形成されている。また、軸部側キー溝４０ｂは、雄ねじ部２０および第１軸部２１の外周面の一部が、軸方向に沿って略半円柱状に切欠かれて形成されている。軸部側キー溝４０ｂは、図４に示されるように、台座側キー溝４０ａよりも段部２２方向（表方向）側に長く形成され、後述するキー４１の回転を規制する規制部４０ｂ１となっている。
【００４５】
軸部２は、キー溝４０に挿入される固定部材４により、基台部１０に対して回動不能に固定されている。固定部材４は、図６に示されるように、キー溝４０の内部に収容されるキー４１と、キー溝４０に収容されたキー４１の外周面の一部を、キー溝４０の内周面の一部に押圧するための押圧部材となる雄ねじ部材４４を備えている。なお、以下の固定部材４の説明において、座面１５側を先端、取付面１１側を後端として説明する。
【００４６】
図２および図６に示されるように、キー４１は、第１キー部４２と第２キー部４３とからなり、それぞれの軸中心が重なるように第１キー部４２と第２キー部４３とが合わさると、キー溝４０の内径よりも小さい径の厚肉円筒形状となる。第１キー部４２と第２キー部４３は、この厚肉円筒形状のキー４１が、軸方向に対して斜めに二分割された形状になるよう形成されている。
【００４７】
第１キー部４２の先端には、図２に示されるように、先端の一部が軸方向に沿って突出した突部４２ｃが形成されている。図４に示されるように、突部４２ｃがキー溝４０の規制部４０ｂ１に嵌ることで、第１キー部４２のキー溝４０内での回動が規制される。さらに、図６に示されるように、第１キー部４２には、軸中心を貫通して雌ねじ部４２ｂが形成され、後端は軸方向に対して傾斜する傾斜面４２ａとなっている。
【００４８】
第２キー部４３には、軸中心を貫通して第１キー部４２の雌ねじ部４２ｂよりもやや拡径された円孔４３ｂが形成されており、前端は第１キー部４２の傾斜面４２ａと同じ傾斜角に傾斜する傾斜面４３ａとなっている。
【００４９】
図６に示されるように、キー４１はキー溝４０内に、第１キー部４２が先端側、第２キー部４３が後端側となるように基台部１０の取付面１１側から挿入されており、第１キー部４２の傾斜面４２ａと第２キー部の傾斜面４３ａとは摺動可能に当接されている。このような状態で、雄ねじ部材４４は、第２キー部４３の円孔４３ｂに挿通され、第１キー部４２の雌ねじ部４２ｂに螺合される。このため、第２キー部４３は、雄ねじ部材４４（押圧部材）により第１キー部４２に押圧されることとなる。前述したように、円孔４３ｂは雌ねじ部４２ｂよりも拡径されているため（すなわち、雄ねじ部の外径よりも内径が大きい）、第２キー部４３が第１キー部４２に雄ねじ部材４４で押圧されると、第２キー部４３は第１キー部４２に対して傾斜面４３ａに沿って傾斜方向に摺動する。そのため、第１キー部４２の外周面の一部と第２キー部４３の外周面の一部は、それぞれキー溝４０に強く押し付けられた状態となり、キー４１はキー溝４０に強く押圧されることとなる。このようにして、軸部２は、固定部材４により台座１にガタつきなく強固に回動不能に固定される。
【００５０】
次に、図７を参照して、ハンドル部３に設けられ、ハンドル部３の回動動作を規制・解除するトリガ機構６について説明する。
【００５１】
トリガ機構６は、操作に供するトリガレバー６０、軸部２の凹部２３ａ１，２３ａ２に係脱されるハンドル部固定シャフト６２、およびトリガ機構６へ付勢力を供給するトリガばね６３を備えている。トリガレバー６０は、正面視でＬ字状に屈曲して形成され、屈曲部６０ａにおいてトリガ軸３４ｂに搖動自在に支持されている。
【００５２】
トリガレバー６０の一端部６０ｂには、前述したシャフト挿通孔３３ａに挿通されたハンドル部固定シャフト６２が連結部６１を介して連結されており、トリガレバー６０の揺動に伴い、ハンドル部固定シャフト６２が軸方向（長手方向）に移動され、ハンドル部固定シャフト６２の軸部２側の先端は、シャフト挿通孔３３ａから軸部２側に出没するようになっている。
【００５３】
トリガ軸３４ｂには、トリガレバー６０を把持部３３から遠ざける方向（以下、「ロック方向ＤＬ」という。）へ付勢するトリガばね６３が巻回されて取り付けられており、トリガレバー６０が受けるトリガばね６３からの付勢力により、ハンドル部固定シャフト６２は軸部２へ向けて付勢されており、トリガレバー６０を操作しない場合には、ハンドル部固定シャフト６２の軸部２側の先端は、シャフト挿通孔３３ａから軸部２側に突出された状態となる。
【００５４】
トリガ機構６はこのように構成されているので、図７に示されるようなハンドル部３が開位置Ｐｏにありトリガレバー６０が操作されていないときは、ハンドル部固定シャフト６２の先端はトリガばね６３の付勢力により軸部２の凹部２３ａ２に係合され、ハンドル部３が閉位置Ｐｃにありトリガレバー６０が操作されていないときは、ハンドル部固定シャフト６２の先端はトリガばね６３の付勢力により軸部２の凹部２３ａ１に係合され、それぞれハンドル部３は、開位置Ｐｏまたは閉位置Ｐｃに固定されて回動が規制されるようになっている。
【００５５】
このような状態から、トリガばね６３の付勢力に抗してトリガレバー６０を把持部３３に近づける方向（以下、「アンロック方向ＤＵ」という。）に搖動させることで、ハンドル部固定シャフト６２が軸部２の凹部２３ａ１，２３ａ２から離脱し、ハンドル部３の回動の規制が解除され、ハンドル部３を回動させることができるようになる。この回動可能な状態から、ハンドル部３が開位置Ｐｏまたは閉位置Ｐｃへと回動され、トリガレバー６０から操作者が手を離すと、トリガレバー６０はトリガはね６３の付勢力によりロック方向ＤＬへと揺動されて、ハンドル部３の回動が規制される状態となる。
【００５６】
次に、主に図８および図９を参照して、台座１の座面１５とハンドル部３の対向面３１とに設けられ、磁力を用いてハンドル部３に付勢力を与えるとともにハンドル部３を開位置Ｐおよび閉位置Ｐｃに固定する台座側磁石70およびハンドル側磁石71について説明する。
【００５７】
台座１の座面１５には、図２および図８に示されるように、座面１５から台座１の取付面１１側に向って円柱状に凹む台座側磁石取付け凹部１５ａ、および該台座側磁石取付け凹部１５ａを連結するように保護プレート取付溝１５ｂが設けられている。保護プレート取付溝１５ｂは、後述する台座側保護プレート５０を取り付けるための溝である。保護プレート取付溝１５ｂの深さは、台座側保護プレート５０の厚さと同じになっている。保護台座側磁石取付け凹部１５ａは、軸挿入孔１６の中心Ｘ１（すなわち、軸部２の軸中心Ｘ２）を中心とする仮想円Ｃの円周上に、全周に亘って等角度間隔β（本実施の形態では４５度）で８か所設けられている。ここで、本明細書および特許請求の範囲において、「角度間隔」とは、基準となる所定の中心を頂点として、その周方向に配置される対象物の中心を通る線分同士がなす角度をいう。また、図中のＳおよびＮの文字は、ＳがＳ極を、ＮがＮ極をそれぞれ示している（以下、同じ。）。
【００５８】
各台座側磁石取付け凹部１５ａには、一端をＳ極、他端をＮ極とする円柱状の台座側磁石７０が、隣接する台座側磁石７０同士の座面１５に現れる磁極を相互に異極として、保護プレート取付溝１５ｂと面一になるように圧入されて取り付けられている。すなわち、８個の台座側磁石７０は、隣接する台座側磁石７０同士の磁極を相互に異極として仮想円Ｃの円周上に全周に亘って等角度間隔β（本実施の形態では４５度）で配置されている。また、台座側磁石７０は、等角度間隔γ（本実施の形態では９０度）で座面１５に現れる磁極が同極となるように配置されている。本実施形態では、台座側磁石７０の中心点７０ｃが、仮想円Ｃの円周上を通るように配置されているが、台座側磁石７０の中心点７０ｃが、仮想円Ｃの円周上を通らなくとも、台座側磁石７０の一部が、仮想円Ｃの円周に重なるように配置すればよい。
【００５９】
本実施の形態では、各台座側磁石取付け凹部１５ａには、それぞれ１個づつ台座側磁石７０が取り付けられているが、磁力を高めるために、複数個の台座側磁石７０を重ねて、各台座側磁石取付け凹部１５ａに取り付けてもよい。
【００６０】
各磁石取付け凹部１５ａに、それぞれ台座側磁石７０が圧入された後に、磁石取付け凹部１５ａおよび保護プレート取付溝１５ｂに、図２に示されるような台座側保護プレート５０が嵌装される。該台座側保護プレート５０は、磁石取付け凹部１５ａに嵌合する磁石保護部５０ａ、と保護プレート取付溝１５ｂに嵌合する連結部５０ｂから構成されている。台座側保護プレート５０が、磁石取付け凹部１５ａおよび保護プレート取付溝１５ｂに取り付けられると、台座１の座面１５と台座側保護プレート５０の表面は面一になる。このように台座側保護プレート５０が取り付けられているので、ハンドル部３の対向面３１が台座１の座面１５に対して摺動しても、台座側磁石７０の表面は、台座側保護プレート５０により保護され摩耗することがない。
【００６１】
ハンドル部３の基部３０の対向面３１には、図２および図９に示されるように、対向面３１からハンドル部３の表面側に向って台座側磁石取付け凹部１５ａと同一形状に凹むハンドル側磁石取付け凹部３１ａが、仮想円Ｃの円周上に、全周に亘って等角度間隔β（本実施の形態では４５度）で８か所設けられている。さらに、ハンドル側磁石取付け凹部３１ａを連結するように、後述するハンドル側保護プレート５１を取り付けるための保護プレート取付溝３１ｂが設けられている。保護プレート取付溝３１ｂの深さは、ハンドル側保護プレート５１の厚さと同じになっている。
【００６２】
各磁石取付け凹部３１ａには、一端をＳ極、他端をＮ極とする円柱状のハンドル側磁石７１が、隣接するハンドル側磁石７１同士の対向面３１に現れる磁極を相互に異極として、保護プレート取付溝３１ｂと面一になるように圧入されて取り付けられている。すなわち、８個のハンドル側磁石７１は、隣接するハンドル側磁石７１同士の磁極を相互に異極として仮想円Ｃ上に全周に亘って等角度間隔β（本実施の形態では４５度）で配置されている。また、ハンドル側磁石７１は、等角度間隔γ（本実施の形態では９０度）で対向面３１に現れる磁極が同極となるように配置されている。なお、台座側磁石７０およびハンドル側磁石７１にはネオジム磁石等の永久磁石が用いられている。本実施形態では、ハンドル側磁石７１の中心点７１ｃが、仮想円Ｃの円周上を通るように配置されているが、ハンドル側磁石７１の中心点７１ｃが、仮想円Ｃの円周上を通らなくとも、ハンドル側磁石７１の一部が、仮想円Ｃの円周に重なるように配置すればよい。
【００６３】
本実施の形態では、各ハンドル側磁石取付け凹部３１ａには、それぞれ１個づつハンドル側磁石７１が取り付けられているが、磁力を高めるために、ハンドル側磁石７０を複数個重ねて、各ハンドル側磁石取付け凹部３１ａに取り付けてもよい
【００６４】
各磁石取付け凹部３１ａに、それぞれハンドル側磁石７１が圧入された後に、磁石取付け凹部３１ａおよび保護プレート取付溝３１ｂに、図２に示されるようなハンドル側保護プレート５１が嵌装される。該ハンドル側保護プレート５１は、磁石取付け凹部３１ａに嵌合する磁石保護部５１ａと、保護プレート取付溝３１ｂに嵌合する連結部５１ｂとで構成されている。ハンドル側保護プレート５１が、磁石取付け凹部３１ａおよび保護プレート取付溝３１ｂに取り付けられると、ハンドル部３の対向面３１とハンドル側保護プレート５１の表面は面一になる。このようにハンドル側保護プレート５１が取り付けられているので、ハンドル部３の対向面３１が台座１の座面１５に対して摺動しても、ハンドル側磁石７１の表面は、ハンドル側保護プレート５１により保護され摩耗することがない。
【００６５】
次に、ハンドル部３を台座１に組付けた状態における台座側磁石７０とハンドル側磁石７１の相互の位置関係について図１１ないし図１３を用いて説明する。
【００６６】
図中、実線がハンドル側磁石７１を、破線が台座側磁石７０をそれぞれ簡易的に示し、ＳおよびＮの文字は、ＳがＳ極を、ＮがＮ極をそれぞれ示し、仮想円Ｃの円周の外側が台座側磁石７０の磁極を、内側がハンドル側磁石７１の磁極をそれぞれ示している。また、ハンドル側磁石７１の位置を明示するため、ハンドル側磁石７１の一つに黒丸を付す。
【００６７】
以下、説明のため、ハンドル部３が閉方向Ｄｃへ向けて回動する際に、台座側磁石７０に対してハンドル側磁石７１が動く方向（図中時計回り方向）を正方向ＣＷとし、ハンドル部３が開方向Ｄｏへ向けて回動する際に、台座側磁石７０に対してハンドル側磁石７１が動く方向（図中反時計回り方向）を逆方向ＡＣＷとする。
【００６８】
図１１に示されるように、ハンドル部３が閉位置Ｐｃに位置するとき、ハンドル側磁石７１は、台座側磁石７０と完全に一致して対向する位置にはなく、台座側磁石７０に対して逆方向ＡＣＷ側（図中、反時計回り方向側）へ所定角度θ（本実施の形態では１２．５度）ずれて、台座側磁石７０とその一部が対向するように配置されている。このとき、台座側磁石７０とハンドル側磁石７１とは、異なる磁極同士で一部が対向されているので、台座側磁石７０とハンドル側磁石７１とは、互いが完全に一致して対向するようにと引き寄せ合い、台座側磁石７０とハンドル側磁石７１との間には磁力による吸引力および吸着力が作用している。
【００６９】
図１２に示されるように、ハンドル部３が閉位置Ｐｃと開位置Ｐｏの中間の中間位置Ｐｍに位置するとき、台座側磁石７０とハンドル側磁石７１とは、同じ磁極同士で完全に一致するように対向して位置され、台座側磁石７０とハンドル側磁石７１との間には磁力による反発力が作用している。
【００７０】
図１３に示されるように、ハンドル部３が開位置Ｐｏに位置するとき、ハンドル側磁石７１は、台座側磁石７０と完全に一致して対向する位置にはなく、台座側磁石７０に対して正方向ＣＷ側（図中、時計回り方向側）へ所定角度θ（本実施の形態では１２．５度）ずれ、台座側磁石７０と一部が対向するように配置されている。このとき、台座側磁石７０とハンドル側磁石７１とは、異なる磁極同士で一部が対向されているので、台座側磁石７０とハンドル側磁石７１とは、互いが完全に一致して対向するようにと引き寄せ合い、台座側磁石７０とハンドル側磁石７１との間には磁力による吸引力および吸着力が作用している。
【００７１】
ここで、ハンドル部３が閉位置Ｐｃに位置するときにハンドル側磁石７１と一部対向する台座側磁石７０は、ハンドル部３が中間位置Ｐｍに位置するときにハンドル側磁石７１と対向する台座側磁石７０の正方向ＣＷ側（時計回り方向側）に隣接する台座側磁石７０である。また、ハンドル部３が開位置Ｐｏに位置するときにハンドル側磁石７１と一部対向する台座側磁石７０は、ハンドル部３が中間位置Ｐｍに位置するときにハンドル側磁石７１と対向する台座側磁石７０の逆方向ＡＣＷ側（反時計回り方向側）に隣接する台座側磁石７０である。
【００７２】
すなわち、ハンドル側磁石７１は、ハンドル部３が閉位置Ｐｃおよび開位置Ｐｏに位置するときには、中間位置Ｐｍにおいてハンドル側磁石７１と対向する台座側磁石７０寄りに所定角度θずれ、台座側磁石７０と異なる磁極同士で一部対向する。そして、台座側磁石７０とハンドル側磁石７１とは、ハンドル部３が中間位置Ｐｍに位置するときにのみ同じ磁極同士で対向する。
【００７３】
次に、台座側磁石７０とハンドル側磁石７１の作用について、ハンドル部３の閉位置Ｐｃから開位置Ｐｏまでの回動を例に、図１４ないし図１６を用いて以下説明する。
【００７４】
図中、台座側磁石７０とハンドル側磁石７１とを区別するため、台座側磁石７０を破線およびハッチを入れて示し、ハンドル側磁石７１を実線で示す。また、以下の説明においては、ハンドル側磁石７１のうちの一つに着目して符号ａを付し、そのハンドル側磁石７１ａに関連する三つの台座側磁石７０に符号Ａ、Ｂ、Ｃをそれぞれ付す。また、ハンドル部３を二点鎖線で縮小して例示する。
【００７５】
図１４に示されるように、ハンドル部３が閉位置Ｐｃに位置するとき、ハンドル側磁石７１ａには、一部対向している台座側磁石７０Ａとの間に生じる吸引力（図中、黒塗り矢印で例示する）と、該台座側磁石７０Ａの逆方向ＡＣＷ側（反時計回り方向側）に隣接する台座側磁石７０Ｂとの間に生じる反発力（図中、白抜き矢印で例示する。）が作用する。このように、ハンドル側磁石７１には吸引力と反発力の二つの磁力が作用し、ハンドル部３は、同じ磁極同士の反発力により閉方向Ｄｃ側に付勢されるとともに、異なる磁極同士の吸着力により閉位置Ｐｃに固定される。
【００７６】
ハンドル部３が、磁力の吸引力（吸着力）および反発力に抗して閉位置Ｐｃから開方向Ｄｏ側へ回動し中間位置Ｐｍへ近づいていく、ハンドル側磁石７１ａに作用する台座側磁石７０Ａとの間の吸引力は弱まっていき、台座側磁石７０Ｂとの間の反発力は強くなっていく。
【００７７】
そして、図１５に示されるように、ハンドル部３が中間位置Ｐｍに位置するとき、ハンドル側磁石７１ａは台座側磁石７０Ｂと完全に一致して対向し、ハンドル側磁石７１ａに作用する台座側磁石７０Ａからの吸引力は最小となり、台座側磁石７０Ｂからの反発力は最大となる。そのため、ハンドル部３は、反発力により中間位置Ｐｍに留まることができず、ハンドル部３が中間位置Ｐｍから閉方向Ｄｃ側に少しでも回動すると、ハンドル部３には同反発力によりハンドル部３を閉方向Ｄｃ側（閉位置Ｐｃ側）へと付勢する力が作用する。一方、ハンドル部３が中間位置Ｐｍから開方向Ｄｏ側に少しでも回動すると、ハンドル部３には台座側磁石７０とハンドル側磁石７１との反発力によりハンドル部３を開方向Ｄｏ側（開位置Ｐｏ側）へと付勢する力が作用する。
【００７８】
開位置Ｐｏと閉位置Ｐｃとの間を回動するハンドル部３が中間位置Ｐｍを超える際に、扉開閉用ハンドル１００を操作する者は、同極同士の反発力が最大となる位置を乗越えることによりいわゆるクリック感を得ることができる。
【００７９】
ハンドル部３が、中間位置Ｐｍから開方向Ｄｏ側へ回動すると、ハンドル側磁石７１ａには、ハンドル部３が中間位置Ｐｍに位置するときに対向する台座側磁石７０Ｂとの間に生じる反発力と、該台座側磁石７０Ｂの逆方向ＡＣＷ側（反時計回り方向側）に隣接する台座側磁石７０Ｃとの間に生じる吸引力が作用する。ハンドル部３が開位置Ｐｏへ近づくと、台座側磁石７０Ｂとの間の反発力は弱まり、台座側磁石７０Ｃとの間の吸引力は強くなる。
【００８０】
そして、図１６に示されるように、ハンドル部３が開位置Ｐｏに位置するとき、ハンドル側磁石７１ａには台座側磁石７０Ｃとの間の吸引力（図中、黒塗り矢印で例示する。）と台座側磁石７０Ｂとの間の反発力（図中、白抜き矢印で例示する。）の二つの磁力が作用し、ハンドル部３は、同じ磁極同士の反発力により閉方向Ｄｃ側に付勢されるとともに、異なる磁極同士の吸着力により閉位置Ｐｃに固定される。
【００８１】
以上、図１４ないし図１６において、台座側磁石７０Ａ，７０Ｂ，７０Ｃおよびハンドル側磁石７１ａに着目して説明したが、他の台座側磁石７０およびハンドル側磁石７１についても同様の位置関係が適用され、同様の作用が生じる。
【００８２】
このように、本発明においては、永久磁石の磁力によってハンドル部３に付勢力を作用させているため、ばねのように使用頻度に伴って付勢力が減少していくことがなく、付勢力を半永久的に持続させることができる。なお、開位置Ｐｏおよび閉位置Ｐｃに位置するハンドル部３に、磁力の吸引力および反発力の両方を作用させるためには、ハンドル部３の回動範囲が、台座側磁石７０同士およびハンドル側磁石７１同士が同極となる角度間隔γ（本実施の形態では９０度）よりも狭く、異極となる角度間隔β（本実施の形態では４５度）よりも広い角度εに規制されることが望ましい。
【００８３】
以上、詳細に説明した本実施の形態に係る扉開閉用ハンドル１００は、以下の効果を奏する。
【００８４】
ハンドル部３が回動範囲の中間位置Ｐｍと開位置Ｐｏとの間に位置するとき、台座側磁石７０とハンドル側磁石７１の磁力の吸引力により、ハンドル部３を開方向Ｄｏ（開位置Ｐｏ）へ向って付勢することができる。また、ハンドル部３が中間位置Ｐｍと閉位置Ｐｃとの間に位置するとき、同じく磁力の吸引力により、ハンドル部３を閉方向Ｄｃ（閉位置Ｐｃ）へ向って付勢することができ、ハンドル部３が開方向Ｄｏへ向かって付勢されることがないので、扉１０１の自然開放を防止することができる。
【００８５】
また、ハンドル部３が閉位置Ｐｃに位置するときには、台座側磁石７０とハンドル側磁石７１との吸着力によりハンドル部３を閉位置Ｐｃに固定することができ、ハンドル部３が開位置Ｐｏに位置するときには、同吸着力によりハンドル部３を開位置Ｐｏに固定することができる。そのため、扉１０１を開閉させようとして、ハンドル部３を開位置Ｐｏへ一端移動させた後は、ハンドル部３は開位置Ｐｏに留まり、ローラー部３７ｂが扉１０１の戸先から突出していない状態が維持されるので、扉１０１の開閉の際に、ローラー締り部３７が、操作者の衣服等を引っ掛けたり、枠体１０２へ衝突することがなく、操作性を向上させるとともに、ローラー締り部３７や枠体１０２の破損を防止することができる。
【００８６】
このように、本発明に係る扉開閉用ハンドル１００は、ばね等の付勢部材ではなく磁力を用いるという簡易な構成で、開位置Ｐｏ側に位置するハンドル部３を開方向Ｄｏへ向けて付勢しつつ開位置Ｐｏに固定し、閉位置Ｐｃ側に位置するハンドル部３を閉方向Ｄｃへ向けて付勢しつつ閉位置Ｐｃに固定することができるので、製造コストの低減を図りつつ、ハンドル部３の開方向Ｄｏおよび閉方向Ｄｃへの付勢力が維持されるので、メンテナンスが容易になる。
【００８７】
ハンドル部３が回動範囲の中間位置Ｐｍに位置するときには、台座側磁石７０とハンドル側磁石７１は同じ磁極同士で対向しており、磁力の反発力によりハンドル部３が中間位置Ｐｍに留まることができない。また、中間位置Ｐｍで作用する反発力により、ハンドル部３が中間位置Ｐｍと開位置Ｐｏとの間に位置するときにはハンドル部３を開方向Ｄｏ（開位置Ｐｏ）側へ、ハンドル部３が中間位置Ｐｍと閉位置Ｐｃとの間に位置するときにはハンドル部３を閉方向Ｄｃ（閉位置Ｐｃ）側へ、それぞれ付勢することができる。
【００８８】
ハンドル側磁石７１は、ハンドル部３が閉位置Ｐｃに位置するとき、台座側磁石７０と完全には一致して対向しておらず、ハンドル側磁石７１と中間位置Ｐｍにおいて対向する台座側磁石７０寄りに所定角度θずれ、台座側磁石７０と異なる磁極同士で一部が対向するように配置されている。そのため、閉位置Ｐｃに位置するハンドル部３には、台座側磁石７０とハンドル側磁石７１との吸引力および反発力の両方が作用し、ハンドル部３をさらに閉方向Ｄｃ側に付勢することができるとともに、台座側磁石７０とハンドル側磁石７１との吸着力でハンドル部３を閉位置Ｐｃへ固定することができる。
【００８９】
一方、ハンドル側磁石７１は、ハンドル部３が開位置Ｐｏに位置するとき、台座側磁石７０と完全には一致して対向しておらず、ハンドル側磁石７１が中間位置Ｐｍにおいて対向する台座側磁石７０寄りに所定角度θずれ、台座側磁石７０と異なる磁極同士で一部が対向するように配置されている。そのため、開位置Ｐｏに位置するハンドル部３には、台座側磁石７０とハンドル側磁石７１との吸引力および反発力の両方が作用し、ハンドル部３をさらに開方向Ｄｏ側に付勢することができるとともに、台座側磁石７０とハンドル側磁石７１との吸着力によりハンドル部３を開位置Ｐｏへと固定することができる。
【００９０】
台座側磁石７０とハンドル側磁石７１は、軸部２の軸中心Ｘ２を中心に等角度間隔βで仮想円Ｃの円周の全周に亘ってそれぞれ配置されるため、ハンドル部３に作用する吸着力（吸引力）と反発力を、軸部２の軸中心Ｘ２を中心として仮想円Ｃの円周の全周に亘ってバランスよく配分することができる。
【００９１】
また、軸部２は、図４に示されるように、軸挿入孔１６に挿入されて、キー溝４０に挿入される第１キー部４２と第２キー部４３とを備えた固定部材４により、基台部１０に対して回動不能に固定されている。軸挿入孔１６の内周面の一部および該一部に対向する軸部２の外周面の一部に形成されたキー溝４０に、傾斜面４２ａ，４３ａ同士が当接した状態で第１キー部４２と第２キー部４３とが挿入されている。そして、第２キー部４３は、第１キー部４２に雄ねじ部材４４（押圧部材）で押圧されている。そのため、第２キー部４３は第１キー部４２に対して傾斜面４３ａに沿って傾斜方向に摺動されたずれた状態でキー溝４０に押圧されて、軸部２を、第１キー部４２、第２キー部４３および雄ねじ部材４４から構成される固定部材４により、台座１にガタつきなく強固に回動不能に固定することができる。
【００９２】
次に、本発明の第２の実施の形態に係る扉開閉用ハンドル２００について、図１７ないし図２１に基づいて説明する。
【００９３】
第２の実施の形態の扉開閉用ハンドル２００が第１の実施の形態の扉開閉用ハンドル１００と異なる点は、第１の実施形態における台座側磁石取付け凹部１５ａ、保護プレート取付溝１５ｂ、ハンドル側磁石取付け凹部３１ａ、保護プレート取付溝３１ｂ、台座側磁石７０、ハンドル側磁石７１の配置、および台座側保護プレート５０、ハンドル側保護プレートの５１形状と、第２の実施形態における台座側磁石取付け凹部１１５ａ、保護プレート取付溝１１５ｂ、ハンドル側磁石取付け凹部１３１ａ、保護プレート取付溝１３１ｂ、台座側磁石１７０およびハンドル側磁石１７１の配置、および台座側保護プレート１５０、ハンドル側保護プレート１５１の形状とである。他の構成は第１の実施の形態と同じであり、第１の実施の形態と同じ部材については同じ符号を付し、説明を省略する。
【００９４】
図１７に示されるように、台座１の座面１１５には、座面１１５から台座１の取付面１１側に向って円柱状に凹む座面側磁石取付け凹部１１５ａが、軸挿入孔１１６の中心Ｘ１（すなわち、軸部２の軸中心Ｘ２）を中心とする仮想円Ｃの円周上に、隣接する座面側磁石取付け凹部１１５ａ同士が所定の角度間隔β（本実施の形態では３６度）となるように６か所、正面視Ｄの字状の台座１の長い直線側に向って凸となる半円状に偏るようにして設けられている。さらに台座側磁石取付け凹部１１５ａのそれぞれを連結するように保護プレート取付溝１１５ｂが設けられている。保護プレート取付溝１５ｂの深さは、台座側保護プレート１５０の厚さと同じになっている。
【００９５】
各座面側磁石取付け凹部１１５ａには、円柱状の台座側磁石１７０が、隣接する台座側磁石１７０同士の座面１１５に現れる磁極を相互に異極として、保護プレート取付溝１１５ｂと面一になるように圧入固定されている。すなわち、６個の台座側磁石１７０は、隣接する台座側磁石１７０同士の磁極を相互に異極として仮想円Ｃの円周上に半円状に偏って等角度間隔β（本実施の形態では３６度）で配置されている。また、台座側磁石１７０は、等角度間隔γ（本実施の形態では７２度）ごとに磁極が同極となるように配置されている。本実施形態では、台座側磁石１７０の中心点１７０ｃが、仮想円Ｃの円周上を通るように配置されているが、台座側磁石１７０の中心点１７０ｃが、仮想円Ｃの円周上を通らなくとも、台座側磁石１７０の一部が、仮想円Ｃの円周に重なるように配置すればよい。
【００９６】
台座側保護プレート１５０は、図１９に示されるように、座面側磁石取付け凹部１１５ａに嵌合する磁石保護部１５０ａが形成され、保護プレート取付溝１１５ｂに嵌合する連結部１５０ｂが形成されている。各磁石取付け凹部１１５ａに、それぞれ台座側磁石１７０が圧入された後に、台座側保護プレート１５０が取付られ、台座１の座面１１５と台座側保護プレート１５０の表面は面一になり、台座側磁石１７０の表面は台座側保護プレート１５０により保護される。
【００９７】
図１８に示されるように、ハンドル部３の対向面１３１には、対向面１３１からハンドル部３の表面側に向って座面側磁石取付け凹部１１５ａと同一形状に凹むハンドル側磁石取付け凹部１３１ａが、仮想円Ｃの円周上に、隣接するハンドル側磁石取付け凹部１３１ａ同士が等角度間隔β（本実施の形態では３６度）で６か所、把持部１３３の反対側に向って凸となる半円状に偏るようにして設けられている。さらにハンドル側磁石取付け凹部１３１ａのそれぞれを連結するように保護プレート取付溝１３１ｂが設けられている。保護プレート取付溝１３１ｂの深さは、ハンドル側保護プレート１５１の厚さと同じになっている。
【００９８】
各磁石取付け凹部１３１ａには、円柱状のハンドル側磁石１７１が、隣接するハンドル側磁石１７１同士の対向面１３１に現れる磁極を相互に異極として、対向面１３１と面一になるように圧入固定されている。すなわち、６個のハンドル側磁石１７１は、隣接するハンドル側磁石１７１同士の磁極を相互に異極として仮想円Ｃの円周上に半円状に偏って等角度間隔β（本実施の形態では３６度）で配置されている。本実施形態では、ハンドル側磁石１７１の中心点１７１ｃが、仮想円Ｃの円周上を通るように配置されているが、ハンドル側磁石１７１の中心点１７１ｃが、仮想円Ｃの円周上を通らなくとも、ハンドル側磁石１７１の一部が、仮想円Ｃの円周に重なるように配置すればよい。また、ハンドル側磁石１７１は、等角度間隔γ（本実施の形態では７２度）ごとに磁極が同極となるように配置されている。
【００９９】
ハンドル側保護プレート１５１は、図１９に示されるように、台座側保護プレート１５０と同一形状に形成されており、各磁石保護部１５１ａは連結部１５１ｂで連結されている。各磁石取付け凹部１３１ａに、それぞれハンドル側磁石１７１が圧入された後に、ハンドル側保護プレート１５１が取付られ、ハンドル部３の対向面１３１とハンドル側保護プレート１５１の表面は面一となり、ハンドル側磁石１７１の表面はハンドル側保護プレート１５１により保護される。
【０１００】
なお、ハンドル部３の回動範囲は、第１の実施の形態と同じ角度ε（本実施の形態では６５度）に規制されている。
【０１０１】
次に、ハンドル部３を台座１に組付けた状態における台座側磁石１７０とハンドル側磁石１７１の相互の位置関係について図２０および図２１を用いて説明する。図中、実線がハンドル側磁石１７１を、破線が台座側磁石１７０をそれぞれ簡易的に示し、ＳおよびＮの文字は、ＳがＳ極を、ＮがＮ極をそれぞれ示し、仮想円Ｃの円周の外側が台座側磁石１７０の磁極を、内側がハンドル側磁石１７１の磁極をそれぞれ示している。また、ハンドル側磁石１７１の位置を明示するため、ハンドル側磁石１７１の一つに黒丸を付す。
【０１０２】
図２０に示されるように、ハンドル部３が閉位置Ｐｃに位置するとき、ハンドル側磁石１７１ａは、台座側磁石１７０と完全に一致して対向する位置にはなく、台座側磁石１７０に対して逆方向ＡＣＷ側（図中、反時計回り方向側）へ所定角度θ（本実施の形態では３．５度）ずれ、台座側磁石１７０と一部が対向するように配置されている。このとき、台座側磁石１７０とハンドル側磁石１７１とは、異なる磁極同士で一部が対向しているので、台座側磁石１７０とハンドル側磁石１７１との間には磁力による吸引力及び吸着力が作用している。なお、第１の実施の形態とは異なり、正方向ＣＷ側の端に位置するハンドル側磁石１７１および逆方向ＡＣＷ側の端に位置する台座側磁石１７０には、それぞれ対向する台座側磁石１７０，ハンドル側磁石１７１がなく、吸引および吸着には寄与していない。
【０１０３】
次に、図示はしないが、ハンドル部３が閉位置Ｐｃと開位置Ｐｏの中間の中間位置Ｐｍに位置するとき、台座側磁石１７０とハンドル側磁石１７１とは、同じ磁極同士で完全に一致するように配置されており、台座側磁石１７０とハンドル側磁石１７１との間には磁力による反発力が作用している。
【０１０４】
そして、図２１に示されるように、ハンドル部３が開位置Ｐｏに位置するとき、ハンドル側磁石１７１は、台座側磁石１７０と完全に一致して対向する位置にはなく、台座側磁石１７０に対して正方向ＣＷ側（図中、時計回り方向側）へ所定角度θ（本実施の形態では３．５度）ずれて台座側磁石１７０と一部が対向するように配置されている。このとき、台座側磁石１７０とハンドル側磁石１７１とは、異なる磁極同士で一部が対向しているので、台座側磁石１７０とハンドル側磁石１７１との間には磁力による吸引力および吸着力が作用している。なお、第１の実施の形態とは異なり、正方向ＣＷ側の端に位置する台座側磁石１７０および逆方向ＡＣＷ側の端に位置するハンドル側磁石１７１には、それぞれ対向するハンドル側磁石１７１，台座側磁石１７０がなく、吸引および吸着には寄与していない。
【０１０５】
このように、第２の実施の形態においては、台座側磁石１７０とハンドル側磁石１７１とが各仮想円Ｃの円周上に半円状に偏って配置されているが、第１の実施の形態と同様に、開位置Ｐｏに位置するハンドル部３には、台座側磁石１７０とハンドル側磁石１７１との吸着力（吸引力）および反発力の両方が作用し、ハンドル部３を開位置Ｐｏに固定するとともに開方向Ｄｏ側に付勢することができる。また、閉位置Ｐｃに位置するハンドル部３には、台座側磁石１７０とハンドル側磁石１７１との吸着力（吸引力）および反発力の両方が作用し、ハンドル部３を閉位置Ｐｃに固定するとともに閉方向Ｄｃ側に付勢することができる。
【０１０６】
また、本実施の形態においては、第１の実施の形態と比較して使用する台座側磁石１７０およびハンドル側磁石１７１の数が減り、扉開閉用ハンドル２００の製造コストの低減を図ることができる。
【０１０７】
次に、本発明の第３の実施の形態に係る扉開閉用ハンドル３００について、図２２ないし図２７に基づいて説明する。
【０１０８】
第３の実施の形態の扉開閉用ハンドル３００が第１の実施の形態の扉開閉用ハンドル１００と異なる点は、図２２および図２３に示されるように、台座側磁石取付け凹部１５ａ、保護プレート取付溝１５ｂ、ハンドル側磁石取付け凹部３１ａ、保護プレート取付溝３１ｂ、台座側磁石７０、ハンドル側磁石７１の配置、および台座側保護プレート５０、ハンドル側保護プレートの５１形状と、第３の実施形態における台座側磁石取付け凹部２１５ａ、保護プレート取付溝２１５ｂ、ハンドル側磁石取付け凹部２３１ａ、保護プレート取付溝２３１ｂ、台座側磁石２７０およびハンドル側磁石２７１の配置、および台座側保護プレート２５０、ハンドル側保護プレートの２５１形状とである。他の構成は第１の実施の形態と同じであり、第１の実施の形態と同じ部材については同じ符号を付し、説明を省略する。
【０１０９】
第３の実施形態の扉開閉用ハンドル３００では、図２２に示されるように、台座側磁石２７０の磁石が、台座１の座面２１５の仮想円Ｃの円周上に、隣接する台座側磁石２７０同士の座面２１５に現れる磁極がＮ極とＳ極とが交互になるように配設されている。台座側磁石２７０のうち座面２１５側がＮ極となるＮ極台座側磁石２７０ｎは、その中心点Ｎｃ１が、仮想円Ｃよりも半径が大きい第１仮想円Ｃ１の円周上になるように配置されている。さらに台座側磁石２７０のうち座面２１５側がＳ極となるＳ極台座側磁石２７０ｓは、その中心点Ｓｃ１が、仮想円Ｃよりも半径が小さい第２仮想円Ｃ２の円周上になるように配置されている。Ｎ極台座側磁石２７０ｎと、Ｓ極台座側磁石２７０ｓは、それぞれの中心点Ｎｃ１，Ｎｓ１が異なる仮想円Ｃ１、Ｃ２上に配置されているが、Ｎ極台座側磁石２７０ｎおよびＳ極台座側磁石２７０ｓのいずれかの部分が仮想円Ｃの円周上に重なるように配置されている。台座側磁石取付け凹部２１５ａは、Ｎ極台座側磁石２７０ｎとＳ極台座側磁石２７０ｓの配置に準じて配置されており、台座側磁石取付け凹部２１５ａのそれぞれを連結するように、保護プレート取付溝２１５ｂが設けられている。
【０１１０】
さらに、各台座側磁石２７０は、実施例１のように角度間隔βの等角度間隔では配置されておらず、図２１に示されるように、δ１、δ２の異なる角度間隔で、δ１、δ２、δ２、δ１、δ１…の角度間隔の順で配置されている。本実施形態では、δ１とδ２を加算すると90度の角度になるように設定されている。
【０１１１】
台座側保護プレート１５０は、図２４に示されるように、座面側磁石取付け凹部２１５ａに嵌合する磁石保護部２５０ａが形成され、保護プレート取付溝２１５ｂに嵌合する連結部２５０ｂが形成されている。各磁石取付け凹部２１５ａに、それぞれ台座側磁石２７０が圧入された後に、台座側保護プレート２５０が取付られ、台座１の座面２１５と台座側保護プレート２５０の表面は面一になり、台座側磁石２７０の表面は台座側保護プレート２５０により保護される。
【０１１２】
また、図２３に示されるように、ハンドル側磁石２７１の磁石が、ハンドル２０１の対向面２３１の仮想円Ｃの円周上に、隣接するハンドル側磁石３７１同士の対向面２３１に現れる磁極がＮ極とＳ極とが交互になるように配設されている。ハンドル側磁石２７１のうち対向面２３１側がＮ極となるＮ極ハンドル側磁石２７１ｎは、その中心点Ｎｃ２が、仮想円Ｃよりも半径が大きい第１仮想円Ｃ１の円周上になるように配置されている。さらにハンドル側磁石２７１のうち対向面２３１側がＳ極となるＳ極ハンドル側磁石２７１ｓは、その中心点Ｓｃ２が、仮想円Ｃよりも半径が小さい第２仮想円Ｃ２の円周上になるように配置されている。Ｎ極ハンドル側磁石２７１ｎと、Ｓ極ハンドル側磁石２７１ｓは、それぞれの中心点Ｎｃ２，Ｎｓ２が異なる仮想円Ｃ１、Ｃ２上に配置されているが、Ｎ極ハンドル側磁石２７１ｎおよびＳ極ハンドル側磁石２７１ｓのいずれかの部分が仮想円Ｃの円周上に重なるように配置されている。ハンドル側磁石取付け凹部２３１ａは、Ｎ極ハンドル側磁石２７１ｎとＳ極ハンドル側磁石２７１ｓの配置に準じて配置されている。
【０１１３】
さらに、各ハンドル側磁石２７１は、実施例１のように角度間隔βの等角度間隔では配置されておらず、図２２に示されるように、β１、β２の角度間隔で、β１、β２、β２、β１、β１…の角度間隔の順で配置されている。本実施形態では、β１とβ２を加算すると90度の角度になるように設定されている。
【０１１４】
なお、ハンドル部３００の回動範囲は、第１の実施の形態と同じ角度ε（本実施の形態では６５度）に規制されている。
【０１１５】
次に、ハンドル部３００を台座１に組付けた状態における台座側磁石２７０とハンドル側磁石２７１の相互の位置関係について図２５ないし図２７を用いて説明する。図中、太線がハンドル側磁石２７１を、細線が台座側磁石２７０をそれぞれ簡易的に示し、ＳおよびＮの文字は、ＳがＳ極を、ＮがＮ極をそれぞれ示し、大文字が台座側磁石２７０の磁極を、小文字がハンドル側磁石２７１の磁極をそれぞれ示している。また、Ｓ極ハンドル側磁石２７１ｓおよびＮ極ハンドル側磁石２７１ｎの位置を明示するため、Ｓ極ハンドル側磁石２７１ｓおよびＮ極ハンドル側磁石２７１ｎのうちそれぞれ一つずつ黒丸を付す。
【０１１６】
図２５に示されるように、ハンドル部３が閉位置Ｐｃに位置するとき、Ｓ極ハンドル側磁石２７１ｓおよびＮ極ハンドル側磁石２７１ｎは、それぞれＮ極台座側磁石２７０ｎとＳ極台座側磁石２７０ｓと完全に一致して対向する位置にはなく、台座側磁石２７０に対して逆方向のＡＣＷ側（図中、反時計回り方向側）へそれぞれ異なる所定角度ずれ、台座側磁石２７０と一部が対向するように配置されている。このとき、台座側磁石２７０とハンドル側磁石２７１とは、異なる磁極同士で一部が対向しているので、台座側磁石２７０とハンドル側磁石２７１との間には磁力による吸引力及び吸着力が作用している。
【０１１７】
次に、図２６に示されるように、ハンドル部３が閉位置Ｐｃと開位置Ｐｏの中間の中間位置Ｐｍに位置するとき、台座側磁石２７０とハンドル側磁石２７１とは、Ｓ極同士のＳ極台座側磁石２７０ｓとＳ極ハンドル側磁石２７１ｓとは完全に一致して重なっており、一方、Ｎ極同士のＮ極台座側磁石２７０ｎとＮ極ハンドル側磁石２７１ｎとは、その一部が重なるようになっており、台座側磁石２７０とハンドル側磁石２７１との間には磁力による反発力が作用している。
【０１１８】
そして、図２７に示されるように、ハンドル部３が開位置Ｐｏに位置するとき、ハンドル側磁石２７１は、台座側磁石２７０と完全に一致して対向する位置にはなく、台座側磁石２７０に対して正方向ＣＷ側（図中、時計回り方向側）へそれぞれ異なる所定角度ずれて台座側磁石２７０と一部が対向するように配置されている。このとき、台座側磁石２７０とハンドル側磁石２７１とは、異なる磁極同士で一部が対向しているので、台座側磁石２７０とハンドル側磁石２７１との間には磁力による吸引力および吸着力が作用している。
【０１１９】
このように、第３の実施の形態においては、Ｎ極台座側磁石２７０ｎのおよびＮ極ハンドル側磁石２７１ｎは、それぞれの中心点Ｎｃ１，Ｎｃ２が第１仮想円Ｃ１上に位置するように配置され、Ｓ極台座側磁石２７０ｓおよびＳ極ハンドル側磁石２７１ｓは、それぞれの中心点Ｓｃ１，Ｓｃ２が第２仮想円Ｃ２上に位置するように配置されているが、Ｎ極台座側磁石２７０ｎ、Ｎ極ハンドル側磁石２７１ｎ、Ｓ極台座側磁石２７０ｓおよびＳ極ハンドル側磁石２７１ｓはその一部が仮想円Ｃ上に位置するように配置されているので、第１の実施の形態と同様に、開位置Ｐｏに位置するハンドル部３には、台座側磁石２７０とハンドル側磁石２７１との吸着力（吸引力）および反発力の両方が作用し、ハンドル部３を開位置Ｐｏに固定するとともに開方向Ｄｏ側に付勢することができる。また、閉位置Ｐｃに位置するハンドル部３には、台座側磁石２７０とハンドル側磁石２７１との吸着力（吸引力）および反発力の両方が作用し、ハンドル部３を閉位置Ｐｃに固定するとともに閉方向Ｄｃ側に付勢することができる。
【０１２０】
以上、本発明の各実施の形態について説明したが、各実施の形態においては、前記の説明に限られず、本発明の趣旨を逸脱しない範囲で変更することができる。
【０１２１】
例えば、各実施の形態において、ハンドル部３が開位置Ｐｏに位置するときおよび閉位置Ｐｃに位置するときに、ハンドル側磁石７１，１７１を台座側磁石７０，１７０に対して所定角度θずれることなく完全に一致して対向するように構成してもよい。この場合、ハンドル部３の回動範囲は同極となる台座側磁石７０，１７０およびハンドル側磁石７１，１７１，２７１が配置される角度間隔γと同じ角度εで規制されることとなる。
【０１２２】
また、ハンドル部３が開位置Ｐｏに位置するときおよび閉位置Ｐｃに位置するときに、ハンドル側磁石７１，１７１，２７１は台座側磁石７０，１７０，２７０と完全に一致して対向しなくても少なくとも一部が対向していればよい。
【０１２３】
台座側磁石７０，１７０，２７０とハンドル側磁石７１，１７１，２７１の形状（大きさ、厚み等）は、必要とする吸着力（吸引力）および反発力（すなわち、磁力）により適宜選定することができる。例えば、台座側磁石７０，１７０，２７０とハンドル側磁石７１，１７１，２７１とは、それぞれ異なる形状の磁石を用いてもよい。また、例えば、台座側磁石７０，１７０，２７０同士およびハンドル側磁石７１，１７１，２７１同士においても異なる形状の磁石を用いてもよい。これにより、例えば中間位置Ｐｍにおける反発力を高める、閉位置Ｐｃにおける吸着力のみを高める等の仕様の変更を行うことが可能となる。なお、この場合、台座側磁石７０，１７０，２７０とハンドル側磁石７１，１７１，２７１は、各々の中心が所定の角度間隔βに位置するように配置される。さらに、台座側磁石７０，１７０，２７０とハンドル側磁石７１，１７１，２７１の其々を、開閉動作に必要とされる磁力に応じて、複数個重ねて用いても良い。
【０１２４】
台座側磁石７０，１７０，２７０およびハンドル側磁石７１，１７１，２７１の数および配置される角度間隔βは、前記した実施の形態に限定されず、必要とされるハンドル部３の回動範囲の角度εに応じて適宜変更することができる。
【０１２５】
台座側磁石７０，１７０，２７０およびハンドル側磁石７１，１７１，２７１として用いられる永久磁石は、ネオジム磁石に限定されず、例えば、サマリウムコバルト磁石等の他の永久磁石を用いてもよい。
【０１２６】
キー溝４０およびキー４１は、軸部２を台座１に回動不能に固定できればよく、キー溝４０を単なる雌ねじ部として形成し、キー４１を雌ねじ部に対応する止めねじで構成してもよい。
【０１２７】
また、第１キー部４２の雌ねじ部４２ｂを第１キー部４２ではなく、キー溝４０の座面側の端部に設けてもよい。この場合、第１キー部４２の雌ねじ部４２ｂは、第２キー部４３の円孔４３ｂと同径の円孔に形成すると好適である。
【０１２８】
また、軸部２を台座１と一体に形成してもよい。この場合、軸部２は、第２軸部２３に相当する部分が座面１５，１１５の中央から座面１５，１１５と直交する方向に延出して形成され、ハンドル部３の抜けを防止するために、フランジ部２４を軸部２とは別体に構成して軸部２に取り付けてもよい。
【０１２９】
さらにまた、軸部２をハンドル部３と一体に形成してもよい。この場合、軸部２は、第１軸部２１に相当する部分がハンドル部３の対向面３１，１３１の中央から対向面３１，１３１と直交する方向に延出して形成される。このような構成によれば、キー溝４０や固定部材４は不要となり、軸部２を別体として設ける必要がなく、部品構成を減じることができる。
【０１３０】
扉開閉用ハンドル１００，２００，３００は、扉１０１の屋内面１０１ａではなく屋外面１０１ｂに取り付けられてもよく、扉面１０１ａと屋外面１０１ｂの両方に取り付けられてもよい。
【０１３１】
さらに、本発明の扉開閉用ハンドル１００，２００，３００を、扉１０１に設けずに、枠体１０２または枠体１０２が取り付けられる壁面に設けて、扉１０１の開閉操作をするようにしてもよい。
【符号の説明】
【０１３２】
１…台座、２…軸部、３…ハンドル部、４…固定部材、６…トリガ機構、１０…基台部、１１…取付面、１５…座面、１６…軸挿入孔、３０点基部、３１…対向面、３２…軸挿入孔、３３…把持部、３５…ハンドル部グリップ、３７…ローラー締り部、３８…制限ピン、４０…キー溝、４０ａ…台座側キー溝、４０ｂ…軸部側キー溝、４１…キー、４２…第１キー部、４３…第２キー部、４４…雄ねじ部材（押圧部材）、５０…台座側保護プレート、５１…ハンドル側保護プレート、７０…台座側磁石、７１…ハンドル側磁石、１００…扉開閉用ハンドル、１０１…扉、１０１ａ…扉面（屋内面）、１０２…枠体、１０３…係合穴部、１１５…座面、１３１…対向面、１７０…台座側磁石、１７１…ハンドル側磁石、２００…扉開閉用ハンドル、２１５…座面、２３１…対向面、２７０…台座側磁石、２７０ｎ…Ｎ極台座側磁石、２７０ｓ…Ｓ極台座側磁石、２７１…ハンドル側磁石、２７１ｎ…Ｎ極ハンドル側磁石、２７１ｓ…Ｓ極ハンドル側磁石、３００…扉開閉用ハンドル、
Ｃ…仮想円、Ｃ１…第１仮想円、Ｃ２…第２仮想円、Ｐｃ…閉位置、Ｐｏ…開位置、Ｐｍ…中間位置、β…角度間隔、δ１…角度間隔、δ２…角度間隔。
【図１】
0006510947.tif 000002
【図２】
0006510947.tif 000003
【図３】
0006510947.tif 000004
【図４】
0006510947.tif 000005
【図５】
0006510947.tif 000006
【図６】
0006510947.tif 000007
【図７】
0006510947.tif 000008
【図８】
0006510947.tif 000009
【図９】
0006510947.tif 000010
【図１０】
0006510947.tif 000011
【図１１】
0006510947.tif 000012
【図１２】
0006510947.tif 000013
【図１３】
0006510947.tif 000014
【図１４】
0006510947.tif 000015
【図１５】
0006510947.tif 000016
【図１６】
0006510947.tif 000017
【図１７】
0006510947.tif 000018
【図１８】
0006510947.tif 000019
【図１９】
0006510947.tif 000020
【図２０】
0006510947.tif 000021
【図２１】
0006510947.tif 000022
【図２２】
0006510947.tif 000023
【図２３】
0006510947.tif 000024
【図２４】
0006510947.tif 000025
【図２５】
0006510947.tif 000026
【図２６】
0006510947.tif 000027
【図２７】
0006510947.tif 000028